(57)【要約】【課題】  振動等によって高圧水素容器に作用する力学的負担を少なくすることができ、しかも当該容器を固定したり取り外したりすることが容易な、好ましい水素トレーラを提供する。【解決手段】  水素トレーラ１は、高圧水素容器Ａを複数本搭載した状態で移送および留置されるものである。横に渡した支持部材を含む棚状のフレーム１１を上下に複数段有する架台１０が、トレーラ台車１ａ上に設けられている。上記支持部材に胴部を固定されることにより、高圧水素容器Ａが複数本ずつ各段のフレーム１１に載せられている。上記架台１０は、各段のフレーム１１をそれぞれ分離して取り外せるよう構成されている。【選択図】  図１
2014210476.tif 000002
【特許請求の範囲】
【請求項１】
高圧水素容器を複数本搭載した状態で移送および留置される水素トレーラであって、
横に渡した支持部材を含む棚状のフレームを上下に複数段有する架台がトレーラ台車上に設けられ、上記支持部材に胴部を固定されることにより高圧水素容器が複数本ずつ各段のフレームに載せられていて、
上記架台が、各段のフレームをそれぞれ分離して取り外せるよう構成されていることを特徴とする水素トレーラ。
【請求項２】
高圧水素容器を複数本搭載した上記の架台がトレーラ台車上に前後に並べて複数組配置されていて、それら複数組のうち前後に隣接する２組が、各組に固定された高圧水素容器の元弁側同士が向かい合わせになりバルブの操作用スペースをはさむように配置されていることを特徴とする請求項１に記載の水素トレーラ。
【請求項３】
フレーム上に固定される脚部を下部に有し、連結可能な切れ目を真上の位置から側方へ３０°〜６０°だけ傾いた位置にある１箇所のみに有するフレキシブルバンドを上記各容器の胴部に巻き付けることにより、上記架台の各段のフレームに高圧水素容器が固定されていることを特徴とする請求項１または２に記載の水素トレーラ。
【請求項４】
上記フレキシブルバンドが金属帯であって、内周部分にゴムパッドをはさんで上記高圧水素容器に巻き付けられるものであることを特徴とする請求項３に記載の水素トレーラ。
【請求項５】
上記架台の上方に容器カバーが設けられていて、当該カバーは、左右一対の板が縁部を突き合わせた状態で上記複数の高圧水素容器を覆うとともに、それらの板が左右に移動して離れたうえ、上記高圧水素容器の外側位置で縦向きに姿勢を変えることにより上記高圧水素容器の上部を開放できるものであることを特徴とする請求項１〜４のいずれかに記載の水素トレーラ。
【請求項６】
上記容器カバーにおける左右一対の板が、不燃性の高断熱材であることを特徴とする請求項５に記載の水素トレーラ。
【請求項７】
上記架台の外側に、通気孔が設けられた板もしくはパンチングメタル板で構成された、開閉可能なパネルもしくは扉が配置されていることを特徴とする請求項１〜６のいずれかに記載の水素トレーラ。
【請求項８】
高圧水素容器に接続されたバルブおよび計器が、トレーラ台車の側縁部および後端縁部から内側に離れた位置に取り付けられていることを特徴とする請求項１〜７のいずれかに記載の水素トレーラ。
【請求項９】
上記架台に取り付けられた配管と上記高圧水素容器とをつなぐ接続配管に、屈曲部分または螺旋状部分が含まれていることを特徴とする請求項１〜８のいずれかに記載の水素トレーラ。
【請求項１０】
上記接続配管が、固有振動数が水素トレーラの実測振動数以上となるようにその管の寸法または支持状態を定められたものであることを特徴とする請求項９に記載の水素トレーラ。
【請求項１１】
上記高圧水素容器と通じる配管の一部に緊急遮断弁が設けられ、その緊急遮断弁の開閉駆動のために、窒素ボンベが設置されてその緊急遮断弁に接続されていることを特徴とする請求項１〜１０のいずれかに記載の水素トレーラ。
【請求項１２】
上記窒素ボンベが、上記高圧水素容器と通じる配管の一部に、当該配管の窒素パージを行う目的で接続可能とされていることを特徴とする請求項１１に記載の水素トレーラ。
【請求項１３】
上記高圧水素容器と通じる配管の一部に、過流防止弁が設けられていることを特徴とする請求項１〜１２のいずれかに記載の水素トレーラ。
【請求項１４】
上記高圧水素容器と通じる配管の一部に、逆火防止器が設けられていることを特徴とする請求項１〜１３のいずれかに記載の水素トレーラ。
【請求項１５】
上記高圧水素容器と通じる配管の一部であって外部への水素の取り出し部分に、ワンタッチカプラ構造のノズルまたはレセプタクルが設けられていることを特徴とする請求項１〜１４のいずれかに記載の水素トレーラ。
【発明の詳細な説明】
【技術分野】
【０００１】
本発明は、水素ステーションへの水素の出荷設備として使用する水素トレーラに関するものである。
【背景技術】
【０００２】
水素自動車（燃料電池自動車を含む）が普及すると、それらに水素を供給するための水素ステーションを各地に設ける必要が生じる。各地の水素ステーションに水素を出荷するためには、水素を陸上輸送するに適した水素トレーラが必要になる。なお、水素トレーラは、水素ステーションまで水素を運ぶために使用されるだけでなく、水素ステーションに留置され、水素自動車への供給源としても使用され得るものである。
【０００３】
水素トレーラとして使用できる車両の例は、たとえば下記の特許文献１に記載されている。同文献１に記載された車両は図９に示すもので、荷台５の上に、下部のベース１６と前後の隔壁１７とを有する架台１５が載せられ、その架台１５上に複数本の高圧ガス容器Ａが搭載されている。高圧ガス容器Ａのそれぞれは、略円筒状の容器本体の両端部（ガスの供給口となる元弁側とその反対側との各ネック部）を、前後の隔壁１７によって固定されている。前後の隔壁１７は上下に３段の小区分を積み重ねて縦向きに連結した構造になっていて、それらを分離することにより、各容器Ａを取り外したり再び取り付けたりすることが可能になっている。
なお、特許文献１の例で使用される高圧ガス容器は、鋼製のものではなく、軽量金属である金属製のコアとその外側の繊維層（炭素繊維またはガラス繊維）とを含む複合容器である。そのような容器は、軽量でありながら高強度であるため、充填圧力を高くして高圧ガスの輸送効率を高めることができる。
【先行技術文献】
【特許文献】
【０００４】
【特許文献１】特表平８−５１０４２８号公報
【発明の概要】
【発明が解決しようとする課題】
【０００５】
特許文献１に記載されている高圧ガス容器用の車両（図９参照）については、つぎの点で課題がある。すなわち、
i)  高圧ガス容器のそれぞれが、上記の各隔壁によって両端のネック部のみを架台に固定されていることから、容器の保護の点で改善の余地がある。両端部のみが固定されている場合、走行中の振動等がその容器にかなりの力学的負担を強いるからである。実際に、わが国では、高圧ガスに関する法律でそのような支持形態が禁止されている。なお、両端部ではない胴部において各容器を架台に固定しようとすると、その固定を行うためにも、また上記のように各容器の取り外し等を可能にするためにも、架台には新たな構造を採用する必要がある。
ii)  外側に繊維層を有する高圧ガス容器が使用される場合、その胴部を固定するには工夫が必要である。繊維層は、鋼や軽量金属等に比べて傷付きやすいからである。すなわち、外側に繊維層がある胴部を固定するには、両端のネック部（繊維層がなく軽量金属が露出している場合が多い）を固定したり、鋼製の容器のネック部や胴部を固定したりする場合とは異なる固定方法をとらねばならない。
iii)  夏季等には、直射日光等を受けて高圧ガス容器が過度に温度上昇しがちであるため、その対策をとる必要がある。すなわち、容器の上を板やシートで覆ったり、必要な場合には容器への散水を行いやすくしたりするなど、適切な対策が望まれる。
【０００６】
請求項に係る発明は、上記のような課題を解決するために行ったものであり、水素を移送し供給するうえで好ましい水素トレーラを提供するものである。
【課題を解決するための手段】
【０００７】
発明の水素トレーラは、高圧水素容器を複数本搭載した状態で移送および留置される水素トレーラであって、
・  横に（つまり水平またはそれに近い方向に）渡した支持部材を含む棚状のフレームを上下に複数段有する架台がトレーラ台車上に設けられ、上記支持部材に胴部を固定されることにより高圧水素容器が複数本ずつ各段のフレームに載せられていて、
・  上記架台が、各段のフレームをそれぞれ分離して取り外せるよう構成されている
ことを特徴とする。
たとえば図１に示す水素トレーラ１は、水平に渡した支持部材１２を含む棚状のフレーム１１を上下に３段有する架台１０が台車１ａ上に設けられたもので、その架台１０は、図２（ａ）・（ｂ）に示すように各段のフレーム１１が分離して取り外され得るものである。
【０００８】
このような水素トレーラには、つぎのような利点がある。すなわち、
・  高圧水素容器を両端のネック部のみで固定するのではなく、容器の胴部を上記架台の支持部材に固定することから、振動等によって容器に作用する力学的負担が少なく、容器が長期間安全に使用される。
・  高圧水素容器の胴部を固定する上記支持部材を含む棚状のフレームが、架台中に複数段組み付けられていて、各段ごとに分離することが可能であるため、各段のフレームに高圧水素容器を固定したり取り外したりすることが容易である。下段のフレームに容器を固定等する場合には、それより上の段のフレームを分離して取り除いたうえで必要な作業を行えるからである。そのようにして作業する場合、各段のフレーム上で隣接する容器間の間隔が狭くても容器の固定や取り外しが可能であるため、容器を密に配置してトレーラ上の空間を有効利用できるという利点もある。
【０００９】
上記の水素トレーラにおいては、とくに、高圧水素容器を複数本搭載した上記の架台がトレーラ台車上に前後に並べて複数組配置されていて、それら複数組のうち前後に隣接する２組が、各組に固定された高圧水素容器の元弁側同士が向かい合わせになりバルブの操作用スペースをはさむように配置されていると好ましい。
図１・図２はその配置を例示したもので、前後２組の架台１０上の容器Ａは、組ごとに容器Ａの向きが揃っているうえ前後２組について容器Ａの元弁側Ａａ同士が向き合っており、しかも両者の間にバルブ操作用のスペース５５がある。
高圧水素容器を搭載した上記の架台を、長いトレーラ台車上に複数組配置載する場合、同容器の元弁側がいずれもトレーラの前方（または後方）を揃って向くようにすることも可能である。しかし、架台を複数組配置する場合には、上記のとおり、前後に隣接する２組において、容器の元弁側同士が向かい合わせになるように配置するのがよい。そのようにすれば、当該２組について元弁側同士が接近して配置されるので、元弁に接続されるバルブや計器類を、当該２組の架台上の全容器について１箇所に集約して配置することが可能になる。そして、向かい合わせになった元弁側の端部の間に上記のとおりバルブの操作用スペースを設ければ、１箇所のそのスペースにおいて架台２組分の高圧水素容器のバルブ等を操作することが可能になり、水素の供給・停止等のための作業を円滑かつ効率的に行うことができる。
【００１０】
上記のように高圧水素容器が複数本ずつ各段のフレームに載せられるに関しては、フレーム（の上記支持部材）上に固定される脚部を下部に有し、連結可能な切れ目を真上の位置から側方へ３０°〜６０°だけ傾いた位置にある１箇所のみに有するフレキシブルバンドを、上記各容器の胴部に巻き付けることによって上記架台の各段のフレーム（の上記支持部材）に高圧水素容器が固定されるのがよい。たとえば、図４のようなフレキシブルバンド２１を含む固定装置２０を使用して、高圧水素容器をフレームに固定するとよい。
上記の脚部をフレームに固定するとともに、上記フレキシブルバンドを各容器の胴部に巻き付けて上記切れ目を連結すれば、そのフレキシブルバンドを介してフレーム上に容器を固定することができる。切れ目が１箇所のみであっても、バンドがフレキシブルであるため、切れ目を大きく開いてバンドの内側に胴部を入れたり逆に出したりすることが容易である。
その切れ目が、真上の位置から側方へ３０°〜６０°だけ傾いた位置にあるので、隣接する容器の間隔（中心間距離）を狭めて架台上に容器を多数（密に）配置することが可能である。切れ目には、それを連結して締め込むための手段を設ける必要があり、そのような手段に作業員が操作を加える必要があるため、切れ目が真上の位置にあると、容器同士の上下の間隔すなわち各段のフレームの上下寸法を大きくとらねばならない。また、容器胴部の真横に近い位置（真上の位置から側方へ９０°程度傾いた位置）に切れ目があるなら、容器同士の左右の間隔を広くとらねばならない。その点、上記のとおり傾いた位置に切れ目があると、上下左右に隣接する容器同士の間隔を狭くしても、切れ目に締め込み手段を設けるとともにそれを操作することに関して差し支えが生じにくい。
【００１１】
上記フレキシブルバンドが金属帯であって、内周部分にゴムパッドをはさんで上記高圧水素容器に巻き付けられるものであると、さらに好ましい。
金属帯であれば、機械的強度が高いので、上記容器を長期間安定的に固定することができる。高圧の水素を充填される容器は胴部の外周に繊維層を有する複合容器であることが多いが、上記のとおり金属帯製のフレキシブルバンドの内側にゴムパッドをはさむなら、胴部に作用する力を分散して均等化することができ、容器の損傷が防止されやすい。またゴムパッドは、接触相手の容器との間に高い摩擦力をもたらすので、移動することのないように容器をしっかりと保持することが可能になる。
【００１２】
上記の水素トレーラにおいては、とくに、上記架台の上方に容器カバー（高圧水素容器のカバー）が設けられていて、当該カバーは、左右一対の板が縁部を突き合わせた状態で上記複数の高圧水素容器を覆うとともに、それらの板が左右に移動して離れたうえ、上記高圧水素容器の外側位置で縦向きに姿勢を変えることにより上記高圧水素容器の上部を開放できるものであるのが好ましい。図７に示すカバー３０も、そのようなカバーの例であり、仮想線で示すように移動して姿勢を変える。
架台の上方に容器カバーが設けられていると、高圧水素容器への日光の直射を遮ることができるため、夏季にも容器が過度に温度上昇することを防止できる。万一、容器の温度が高くなった場合には、容器カバーの板を上記のとおり移動等させて容器の上部を開放することができるので、開放したその上部から散水をして容器を冷却することができる。その際、容器カバーの板は、左右に移動して離れるだけでなく、容器の外側位置で縦向きに姿勢を変えることから、容器上部を開放した際にも左右に占有スペースが拡大することがない。占有スペースが拡大しないなら、水素トレーラの留置場所を選択しやすいため有利である。
【００１３】
上記容器カバーにおける左右一対の板は、不燃性の高断熱材であるのが好ましい。
その板が不燃性のものであれば、高圧水素容器の取扱いに関して安全性が高く、また、板の断熱性が高い方が、高圧水素容器を覆っているとき容器の温度上昇を抑制しやすいからである。
【００１４】
上記架台の外側に、通気孔が設けられた板もしくはパンチングメタル板で構成された、開閉可能なパネルもしくは扉が配置されていると好ましい。図１（ａ）に示すトレーラ１も、図３（ａ）・（ｂ）のように開閉可能なパネルや扉をいくつか有している。
高圧水素容器を載せた上記の架台は、その一部または全部をパネルや扉で覆っている方が、容器の保護に関して安全性を高くすることができる。そしてそのパネルや扉は、開閉可能とすることにより、内側の容器等を点検・整備しやすくなる。また、通気孔が設けられた板やパンチングメタル板でそのパネルや扉を構成することにより、内外間の換気をよくして容器の温度上昇を抑制しやすいといえる。
【００１５】
高圧水素容器に接続されたバルブおよび計器が、トレーラ台車の側縁部および後端縁部から内側に離れた位置に取り付けられていると、さらに好ましい。
水素トレーラは、トラクタで牽引されて走行するため、他の車両等とぶつかる可能性がゼロではない。その点、バルブや計器が、上記のようにトレーラ台車の側縁部および後端縁部から内側に離れた位置に取り付けられていると、側面や後部に他の車両等が接触・衝突しても、バルブ等が破損して水素が流出する事態には至りにくい。
【００１６】
上記架台に取り付けられた配管と上記高圧水素容器とをつなぐ接続配管に、屈曲部分または螺旋状部分が含まれていると好ましい。図７の例でも、接続配管５２にそのような螺旋状部分を含めている。
上記架台にはバルブや計器等を有する配管（固定配管）が取り付けられていて、その架台上に高圧水素容器が新たに固定されたとき、上記配管と各容器との間が接続配管を介して接続される。この接続配管に、上記のとおり屈曲部分または螺旋状部分が含まれていると、容器が膨張・収縮をし、または変位したときにも、上記配管や接続配管に無理な力が作用しない。容器は、高圧水素の量（圧力）に応じて膨張・収縮するほか、架台上で僅かにずれ動くことにより元弁側の位置が変化し得るが、接続配管に屈曲部分や螺旋状部分が含まれていれば、それらの部分が変形することによって、容器の元弁側位置の変化を無理なく吸収できるからである。
【００１７】
上記接続配管が、その固有振動数が水素トレーラの実測振動数以上となるようにその管の寸法または支持状態を定められているとよい。なお、水素トレーラの実測振動数は１５〜２０Ｈｚであるため、一般的には、上記接続配管の固有振動数を２５Ｈｚ以上にすることとなる。具体的には、接続配管の長さや太さ、または配管支持部の位置等によってその固有振動数を高くする。５０Ｈｚ程度以上にするのがとくに安全である。
上のようにすると、水素トレーラの走行中に上記接続配管が共振により大きく振動して破損する恐れがないため、高圧水素を安全に移送することが可能である。
【００１８】
上記高圧水素容器と通じる配管の一部に緊急遮断弁が設けられ、その緊急遮断弁の開閉駆動のために、窒素ボンベが設置されてその緊急遮断弁に接続されていると好ましい。
一定の温度以上になったときそれを検知してガスを遮断する等の機能を有する緊急遮断弁を配管に設けることは、可燃性の水素を安全に移送し供給するうえで重要である。ただし、緊急遮断弁が電動のものであれば、防爆面での安全性が保たれない可能性がある。そのため、上記のとおり水素トレーラに窒素ボンベを設置し、緊急遮断弁の開閉をその窒素ガスの力で駆動する。それによって、水素トレーラにおける火災の防止、および万一の場合の被害の拡大防止を図ることができる。
【００１９】
上記窒素ボンベが、上記高圧水素容器と通じる配管の一部に、当該配管の窒素パージを行う目的で接続可能とされていると、さらに好ましい。
水素トレーラに窒素ボンベを設置するのであれば、そのボンベを用いて配管の窒素パージが行えるようにするとよい。すなわち、バルブや計器類を交換等したとき、配管内には空気（酸素）が入りがちだが、窒素ボンベからその配管内に窒素ガスを送って内部の空気を追い出すのである。そうして配管内に空気が含まれないようにすると、水素の取扱いに関する安全性が向上することとなる。
【００２０】
上記高圧水素容器と通じる配管の一部に過流防止弁が設けられているとなおよい。
配管が破損したり、接続されているホースが外れたりすると、その部分から水素が大量に流出する恐れがある。しかし、上記のように過流防止弁が設けられていれば、水素の流量が異常に大きい場合に機能して流路を閉じるので、大量流出による危険を回避することができる。
【００２１】
上記高圧水素容器と通じる配管の一部に逆火防止器が設けられているのも好ましい。
容器内の水素を排気する際に排気中の水素が万一燃焼し始めた場合を想定すると、火炎が配管内を容器の側へ逆流しないように備えておく必要がある。上記のように逆火防止器を設けると、その弁から先へ炎が逆流することを防げるので、火災防止面での意義が大きい。
【００２２】
上記高圧水素容器と通じる配管の一部であって外部への水素の取り出し部分に、ワンタッチカプラ構造のノズルまたはレセプタクルが設けられているとよい。
そのようなノズルやレセプタクルが設けられていると、水素トレーラの高圧水素容器からの水素の取り出しがきわめて容易に行える。そのノズルやレセプタクルに対して、水素の供給を受ける側の配管をワンタッチで接続できるからである。
【発明の効果】
【００２３】
発明の水素トレーラでは、高圧水素容器の胴部が架台の支持部材に固定されるため、容器に作用する振動等による力学的負担が少なく、容器の安全な使用可能期間が長くなる。架台のフレーム上に高圧水素容器を固定したり取り外したりすることが容易であるほか、容器を密に配置してトレーラ上の空間を有効利用できるという利点もある。
また、高圧水素容器がしっかりと保持されるとともに、胴部外周に繊維層を有する複合容器が搭載される場合にも容器が傷付きにくい、といった構成にすることもできる。
夏季等に容器が過度に温度上昇することを防止しやすい構成も採用できる。
【図面の簡単な説明】
【００２４】
【図１】図１（ａ）は水素トレーラ１等を示す側面図であり、同（ｂ）は水素トレーラ１の内部を示す側面図（側部のパネル等を取り除いて示す図）である。
【図２】図２（ａ）・（ｂ）・（ｃ）のそれぞれは、水素トレーラ１の架台１０等を示す側面図、平面図、背面図である。図２（ａ）および（ｂ）は、架台１０の分解状態をも示している。
【図３】図３（ａ）・（ｂ）のそれぞれは、図１（ａ）におけるIIIａ−IIIａ矢視図およびIIIｂ−IIIｂ断面図である。また、図３（ｃ）・（ｄ）・（ｅ）・（ｆ）のそれぞれは、図３（ａ）におけるｃ−ｃ、ｄ−ｄ、ｅ−ｅ、ｆ−ｆの矢視図または断面図である。
【図４】図４（ａ）は容器Ａの固定装置２０を示す正面図、同（ｂ）はその固定装置２０の側面図である。
【図５】図５は、図４の固定装置２０にて使用されるゴムパッド２６の横断面図である。
【図６】容器Ａを固定する際にゴムパッド２６に作用する面圧の分布を示す模式図である。
【図７】水素トレーラ１における容器用カバー３０等を示す正面図である。図３（ｄ）または（ｅ）を拡大表示した図でもある。
【図８】容器用カバー３０の動作とその駆動機構を示す部分拡大正面図である。
【図９】水素トレーラとして使用され得る従来の（特許文献１に記載の）車両を示す側面図である。
【発明を実施するための形態】
【００２５】
図１〜図８に、発明の一実施例である水素トレーラ１等を示す。なお、以下の説明において「前」「後」は水素トレーラ１の進行方向にいう前・後をいい、「左」「右」は、その進行方向に向かっての左・右をさすものとする。
【００２６】
図示の水素トレーラ１は、水素を燃料とする水素自動車（燃料電池自動車を含む）に水素を供給等するための手段であり、水素を充填した高圧水素容器Ａを搭載して水素ステーションまで輸送し、また水素ステーションに留置されて水素自動車への水素の供給を行うものである。輸送の際は、図１（ａ）のようにトラクター２に牽引されることによって走行する。
【００２７】
水素トレーラ１は、その台車１ａ上に前後２組の架台１０を搭載し、それぞれの架台１０に、図１（ｂ）のように高圧水素容器Ａを複数本ずつ取り付けている。高圧水素容器Ａは、アルミ合金等の軽量金属製容器の外側に炭素繊維等の繊維層を積層した略円筒形状の複合容器であり、内部に３５０気圧以上の圧力で水素を充填することができる。
【００２８】
高圧水素容器Ａを固定する上記２組の架台１０のそれぞれは、図２のように構成したものである。すなわち、前後左右の位置に鉛直に立てた４本の支柱１３に対し、水平な支持部材１２を有する棚状のフレーム１１を、各段ごとに取付け・取外しが可能なように３段取り付けている。各段のフレーム１１を支柱１３に対して取外し可能に連結すべく、図２（ａ）のように両者の継手同士をボルトナットで締結することとし、フレーム１１の位置がずれ動くことのないよう、ターンバックルを含む連結ロッド１４によっても接続している。
【００２９】
各段のフレーム１１には、図２（ｂ）・（ｃ）のように４本の高圧水素容器Ａを、軸心が前後を向いて平行になるよう並べて取り付けている。フレーム１１には左右に延びた水平な支持部材１２が平行に４本設けてある（図３（ｂ）参照）ため、各容器Ａはその支持部材１２上に、後述の固定装置２０を用いて固定している。
【００３０】
各架台１０には、上記のようなフレーム１１を上下３段に積み重ねるので、架台１０の１組には合計１２本の容器Ａを搭載することになる。上記のように各段のフレーム１１が取り外し可能であるため、下段・中段のフレーム１１に容器Ａを固定することも困難なく行うことができる。
【００３１】
水素トレーラ１上に設けた上記架台１０の位置、および各架台１０上の高圧水素容器Ａの向きについては、図１（ｂ）および図２（ｂ）のようにしている。すなわち、容器Ａは架台１０ごとに同じ向きに揃えて固定することとし、前方の架台１０上の容器Ａは元弁Ａａの側を後ろ向きにし、後方の架台１０上の容器Ａは元弁Ａａの側を前向きにする。つまり、前方の架台１０上のすべての容器Ａと、後方の架台１０上のすべての容器Ａとが、元弁Ａａ側同士が向かい合わせになるように配置している。そして、前後各組の容器Ａの間に、作業員が入れるだけの操作用スペース５５ができるように前後の各架台１０間に間隔をとっている。
【００３２】
各容器Ａの元弁Ａａの側では、水素の供給・停止に関するバルブ操作を行う必要があるが、上のようにしたことにより、前後両組の全容器Ａについての上記のようなバルブ操作を、上記１箇所の操作用スペース５５において能率的に行うことができる。とくに大型の水素トレーラでは３組以上の架台に容器Ａを固定する場合があり得るが、そのような場合も、前後に隣接するいずれか２組について容器Ａの元弁Ａａ側同士が操作用スペースをはさんで向かい合うように配置するとよい。なお、容器Ａの元弁Ａａ側とは反対側の端部Ａｂには、通常、安全弁（図示省略）への引回し配管が取り付けられている。。
【００３３】
架台１０におけるフレーム１１上に高圧水素容器Ａを固定するためには、図４（ａ）・（ｂ）に示す固定装置２０を使用している。固定装置２０は、下部に脚部２１ｂを有する金属帯製のフレキシブルな環状のバンド２１にて容器Ａの胴部を縛るものである。脚部２１ｂは事前にフレーム１１（支持部材１２）上に取り付けておくことから、バンド２１を胴部に巻いて締め付けた時点で、容器Ａを固定することができる。ただし、容器Ａの胴部は外周に炭素繊維層を有していて傷付きやすいことから、バンド２１の内側のほぼ全周にゴムパッド２６をはさむ。ゴムパッド２６としては、周長方向に複数箇所（図４の例では８箇所）で分割したものを使用している。その方が、バンド２１の内側に挿入しやすいうえ、消耗時の交換を低コスト化できるからである。
【００３４】
上記のバンド２１には、連結可能な切れ目２１ａを１箇所、図４（ａ）のように容器Ａの真上の位置から側方へ４５°だけ傾いた位置に設けている。そしてこの切れ目２１ａをはさむバンド２１の両端にそれぞれフランジ２２を一体に設け、両フランジ２２にボルト２３（ナット２４付き）を通すことにより、切れ目２１ａの連結手段としている。容器Ａの胴部にバンド２１を巻いたのちボルト２３によって切れ目２１ａ（のフランジ２２同士）を連結し、さらにバンド２１の巻き付け力を適切に調整すれば、容器Ａの胴部を適切に（つまり、外周部の繊維層を傷付けることがなく、かつ、容器Ａがずれ動くことがないように）固定することができる。
【００３５】
切れ目２１ａの位置を上記のように４５°傾いた上方位置に設けたうえ、図２（ｂ）のように左右に隣接するバンド２１の位置を前後に異ならせていることから、隣接する容器Ａをきわめて接近させて配置することができる。容器Ａ同士をそのように接近させて密に配置しても、隣接するバンド２１の位置が異なっているとともに、切れ目２１ａが容器Ａの真横でも真上でもない位置にあるため、バンド２１の巻き付けやその解除のための作業を円滑に行えるのである。
【００３６】
バンド２１の巻き付け力の調整手段としては、切れ目２１ａをはさむ上記一対のフランジ２２における対向面間に、枚数および厚さを変更できるように座金２５をはさむこととしている。座金２５の枚数や厚さは、容器Ａの周長とバンド２１の長さとの各実測値に基づき、巻き付け力が適切な値になるよう事前に決めておく。それにより、トルク測定をすることなく上記ボルト２３を（ナット２４に対して）締め込むだけで、バンド２１の巻き付け力を適切にすることができる。
【００３７】
脚部２１ｂを上記のようにフレーム１１に取り付けるためには、セレーションボルト２７を使用している。セレーションボルト２７は、頭部を脚部２１ｂ側に向けて使用し、頭部付近を当該脚部２１ｂのボルト穴に密に挿入する。それにより、ナット２８を締め付ける際のボルト２７の供回りを防止することができる。
【００３８】
バンド２１と容器Ａの胴部との間にはさむゴムパッド２６としては、図５に示す横断面形状のものを使用している。すなわち、内側の面には、容器Ａの胴部周面に添う円筒状の平坦面２６ａを有し、外側の面には、容器Ａの長さ方向に延びた山と谷とを含む凹凸面２６ｂを有するものである。このような形状のゴムパッド２６をバンド２１と容器Ａとの間にはさんで使用すると、容器Ａの胴部に局部的に大きな圧力が作用することが避けられ、容器Ａの表面にある繊維層等の損傷が効果的に防止される。
【００３９】
バンド２１を締め付けたときゴムパッド２６の内側面に作用する圧力（面圧。容器Ａの外周面に作用する圧力と等しい）の分布（発明者による解析結果）を図６に示す。幅方向の中ほどにおいて面圧が高くなる傾向があり、また、外側の凹凸面２６ｂの形状にしたがって面圧の変化が規則的に表れることが認められるが、特定の部位に極端な面圧が発生することはない。
【００４０】
前後の架台１０の上部には、図７に示す容器カバー３０をそれぞれ設けている。カバー３０は、不燃性の高断熱材のボードを鋼製の枠に取り付けた板３１を、２枚一組にして架台１０の上部に取り付けたものである。２枚の板３１をほぼ水平（外側がやや下がるように傾斜を付ける）にし、内側の縁部を互いに突き合わせた状態にすると、架台１０に取り付けた高圧水素容器Ａのすべてを覆うことができる。容器Ａを覆うことによって日光を遮り、夏季等における容器Ａの温度上昇を抑制するのである。
【００４１】
容器カバー３０の各板３１は可動式のもので、図７・図８に仮想線で示すように互いに左右へ離れるように移動し、さらに架台１０の左右外側において縦向きに姿勢を変えることができる。そのように板３１が移動して姿勢を変えると、架台１０の上部すなわち容器Ａの上方を大きく開放することができ、上からの散水等によって容器Ａを冷却等することが可能になる。
【００４２】
板３１に上記のような動作をさせるべく、図８のとおり、板３１の下面にはチェーン（直線歯）３２を直線状に延ばして取り付け、それに噛み合うスプロケット（回転歯）３３を架台１０上に取り付けている。スプロケット３３の軸３４には、伝動チェーン３５等の伝動手段を介して操作ハンドル３６を接続した。また、板３１用の移動案内枠３７を架台１０の上部に取り付け、当該案内枠３７を、軸３４と同一の軸心の回りに揺動可能なようにした。
【００４３】
板３１が架台１０上の中央付近にあって縁部を突き合わせている状態で、操作ハンドル３６を回転させると、伝動チェーン３５等を介してスプロケット３３が回転し、それに噛み合うチェーン３２とともに板３１が案内枠３７に沿って左右に移動する。板３１が移動して、自身の重心が軸３４の位置よりも左右外側へ移ったとき、板３１は、移動案内枠３７とともに揺動し、図示仮想線のように縦向き姿勢（上部をやや内側にしたほぼ鉛直な姿勢）に変化する。一方、板３１が縦向き姿勢にある状態で操作ハンドル３６を上記と逆向きに回転させると、まず板３１はチェーン３２とともに上昇し、軸３４の位置よりも内側へ重心が移ることにより揺動して略水平に姿勢を変える。その後さらに操作ハンドル３６を回転させると、板３１は架台１０の中央寄りに移動して他方の板３１と突き合わせられるに至る。板３１同士が縁部を突き合わせた状態になると、手動開閉式の連結具であるパチン錠を連結して、振動等にて板３１同士が離れることを防止する。
【００４４】
容器カバー３０を構成する一対の板３１における、互いに突き合わせられる側の縁部には、図８に示す屈曲部材３８Ａ・３８Ｂをそれぞれ取り付けている。屈曲部材３８Ａ・３８Ｂは、前後方向に長い鋼板やＬ形鋼などを溶接等して構成したものである。板３１同士が縁部を突き合わせたときには、一方の板３１の屈曲部材３８Ａの内側空間内に他方の板３１の屈曲部材３８Ｂの一部が入り込んで、雨水等が下へ通り抜けることのないラビリンス状の障壁を構成する。ただし、その状態で、屈曲部材３８Ａ・３８Ｂの間を空気が上下に通り抜けることは可能であるため、雨水を防ぎながらも換気の特性を確保することができる。
【００４５】
トレーラ１上の架台１０は、高圧水素容器Ａの保護等のために、図１または図３（ａ）・（ｂ）のように周囲を保護板４０等で覆っている。そして、内部を点検・整備等する必要のある部分には、固定配置した保護板４０に代えて（またはそれとともに）、開閉可能なパネル（または扉）４１・４２・４３・４４を配置している。夏季等に内部の温度が上昇しないよう、固定配置の保護板４０にはベンチレータやガラリを取り付け、パネル４１・４２・４３・４４には、通気孔のあるパンチングメタル板を採用している。
【００４６】
各高圧水素容器Ａの元弁Ａａは、図７に示すように接続配管５２を介して、架台１０に固定された固定配管５２に接続している。それら固定配管５２は、トレーラ１の後部に設けた配管系５０（図３（ｆ））に接続し、この配管系５０のユニット内に各種の計器や操作バルブ、さらには水素取出し用のワンタッチカプラ構造のノズル（もしくはレセプタクル）等を集めて配置している。
【００４７】
その配管系５０は、図１のように、後方の架台１０のすぐ後ろであってトレーラ１の台車１ａの後端縁部から数十ｃｍ以上内側（前方）に入った位置に取り付けている。また図３（ｆ）に示すように、配管系５０は、台車１の側縁部からも内側に数十ｃｍの間隔をおいて機器を配置している。これは、配管系５０の後部に作業員によるバルブ等の操作用スペース５６を確保することと、交通事故等によっても配管系５０が損傷しないこととを配慮したものである。
【００４８】
接続配管５２を含む上記の配管系５０に関しては、以下のような工夫を施してもいる。すなわち、
a)  接続配管５２には、図７のとおり螺旋状の部分を含めている。高圧水素容器Ａが水素の充填状態に応じて膨張・収縮すること等に起因して、その元弁Ａａの位置が変わり得るからである。
b)  接続配管５２は、固有振動数がトレーラ１の実測振動数（１５〜２０Ｈｚ）を超える２５〜５０Ｈｚ程度になるように、管の太さや長さ、取り付け位置等を定めている。
c)  配管系５０の中に、一定の温度以上でガスを遮断する緊急遮断弁（図示省略）を設けている。また、その弁を開閉駆動するエネルギー源として、図３（ｆ）に示す窒素ボンベ５３を設置している。ガスの温度が上昇したとき、防爆特性に優れる窒素ガスの力で緊急遮断弁を閉じて、安全性を確保するのである。
d)  上記の窒素ボンベ５３は、配管系５０の他の部分にも接続可能とし、配管内の窒素パージを行えるようにしている。バルブや計器類の交換時等に、配管内に空気が混入しないようにするためである。
e)  配管系５０内には、配管のいずれかの部分から水素が大量に流出することを防止するために、過流防止弁（図示省略）を設けている。また、排気中の水素が燃焼し始めたときも火炎の逆流を防止するために、逆火防止器（図示省略）も、配管系５０内に組み込んでいる。
【００４９】
以上、水素トレーラにおける発明の実施例を紹介した。ただし、発明は、この実施例に限定されることなく実施可能であり、たとえば、水素以外の高圧ガスを輸送等するものとして発明を構成することができる。また、トレーラではなく、トレーラと同程度の大型トラック等の車両として発明を構成することも可能である。
【符号の説明】
【００５０】
１  水素トレーラ
１０  架台
１１  フレーム
１２  支持部材
２０  固定装置
２１  バンド
２１ａ  切れ目
２５  座金
２６  ゴムパッド
２６ａ  平坦面
２６ｂ  凹凸面
３０  容器カバー
３１  板
３２  チェーン（直線歯）
３３  スプロケット（回転歯）
３６  操作ハンドル
３８Ａ・３８Ｂ  屈曲部材
４０  保護板
４１・４２・４３・４４  パネル
５０  配管系
５２  接続配管
５５・５６  操作用スペース
Ａ  高圧水素容器
Ａａ  元弁
【図１】
2014210476.tif 000003
【図２】
2014210476.tif 000004
【図３】
2014210476.tif 000005
【図４】
2014210476.tif 000006
【図５】
2014210476.tif 000007
【図６】
2014210476.tif 000008
【図７】
2014210476.tif 000009
【図８】
2014210476.tif 000010
【図９】
2014210476.tif 000011